(57)【要約】【課題】本発明は苗育成用容器から抜けにくい表示体を提供することにある。【解決手段】苗育成用容器に取り付ける表示体であって、表示体は、苗に関する情報を表示する表示部と、苗育成用容器に差し込むことになる差込部とを備え、差込部は舌片部を有し、舌片部に折り目が設けられていることを特徴とする表示体によって解決される。【選択図】  図１
2004305082.tif 000002
【特許請求の範囲】
【請求項１】
苗育成用容器に取り付ける表示体であって、
前記表示体は、苗に関する情報を表示する表示部と、前記苗育成用容器に差し込むことになる差込部とを備え、
前記差込部は舌片部を有し、
前記舌片部に折り目が設けられている
ことを特徴とする表示体。
【請求項２】
折り目は、舌片部の基部に設けられていることを特徴とする請求項１に記載の表示体。
【請求項３】
前記差込部には、上下方向に折り目が設けられてなることを特徴とする請求項１又は請求項２に記載の表示体。
【請求項４】
苗育成用容器に表示体を取り付ける方法であって、
前記表示体は、苗に関する情報を表示する表示部と、前記苗育成用容器に差し込むことになる差込部と、前記差込部に形成された舌片部とを有し、
前記表示体を前記苗育成容器に取り付ける前に、前記舌片部を折り曲げておくことを特徴とする表示体の取付方法。
【発明の詳細な説明】
【０００１】
【発明が属する技術分野】
本発明は、例えば野菜や花等の植物の苗育成用容器に取り付ける表示体に関する。
【０００２】
【従来技術】
従来、育苗用の容器に差し込む、植物の名前や写真等を明示した表示体として図４に示すものが提案されている。図４中、８は、苗に関するデータを表示する表示体であり、例えば薄いプラスチックシート等から構成されている。表示体８には、図４に示す如く、上方に開口する切込部９ａ，９ｂが設けられており、この切込部９ａ，９ｂの存在によって舌片部１０ａ，１０ｂが形成される。この舌片部１０ａ，１０ｂは上方に開口する切込を設けて構成されたものであるから、表示体８を苗育成用容器の孔に差し込んだ場合、これを上に引き抜こうとすると舌片部１０ａ，１０ｂが引っかかるので、容易に抜けないと謳われている（特許文献１）。
【０００３】
【特許文献１】
実開平７―７３７２号公報
【発明が解決しようとする課題】
しかしながら、上方に開口する切込部を設けた上記提案の表示体であっても、表示体が苗育成用容器から抜けてしまう場合がしばしばあった。
【０００４】
そこで、本発明の解決しようとする課題は、苗育成用容器から抜けにくい表示体を提供することにある。
【０００５】
【課題を解決するための手段】
ところで、前記特許文献１では、容易に抜けないと謳われているものの、現実には抜け取れることがしばしばあったことについての原因を、本発明者は、鋭意探求していった。その結果、表示体に設けられた上方に開口する切込部によって形成された舌片部が苗育成用容器の孔に引っ掛からない場合があるということに気付くに至った。
【０００６】
更に、何故引っ掛からないかを検討していた結果、舌片部１０ａ，１０ｂは表示体の差込部１１と同一面上にあるため、引き抜き方向に力が作用した時に、舌片部１０ａ，１０ｂが苗育成容器の孔に引っ掛からないからであることを究明するに至った。
【０００７】
このような知見に基づいて本発明はなされたものであって、前記本発明の課題は、苗育成用容器に取り付ける表示体であって、
前記表示体は、苗に関する情報を表示する表示部と、前記苗育成用容器に差し込むことになる差込部とを備え、
前記差込部は舌片部を有し、
前記舌片部に折り目が設けられている
ことを特徴とする表示体によって解決される。
【０００８】
尚、折り目が舌片部の基部に設けられていると、舌片部が折り曲げられ易いので、好ましい。
【０００９】
更に、差込部に上下方向の折り目が設けられていると、この折り目に沿って差込部を折り曲げることが容易である。そして、前記折り目に沿って折り曲げると、表示体が立体的になって強度が増すので、表示体が起立し易く、表示部が見易くなる。
【００１０】
又、前記本発明の課題は、苗育成用容器に表示体を取り付ける方法であって、
前記表示体は、苗に関する情報を表示する表示部と、前記苗育成用容器に差し込むことになる差込部と前記差込部に形成された舌片部とを有し、
前記表示体を前記苗育成容器に取り付ける前に、前記舌片部を折り曲げておくことを特徴とする表示体の取付方法によって解決される。
【００１１】
【発明の実施の形態】
図１は本発明に係る苗育成用容器の表示体の正面図、図２は苗育成用容器に土壌が充填されると共に表示体が支持されている状態での斜視図である。
【００１２】
１は、表示体であり、例えば薄いプラスチックシート、若しくは厚紙等から構成されている。表示体１には、図１に示した通り、苗を識別するための情報として植物の写真、又は、イラスト等が明示された主表示部２と、この主表示部２の下側に設けられた苗育成用容器に差し込むことになる差込部３とを有している。尚、差込部３の形状は、例えば逆台形状、若しくは逆三角形状等の形状である。
【００１３】
差込部３は、差込部３の端縁に沿ってスリットを入れることによって形成された舌片部４ａ，４ｂを有している。
【００１４】
５ａ，５ｂは、舌片部４ａ，４ｂの上端部の位置に対応して、舌片部４ａ，４ｂの長手方向に対して交差する方向に設けられた切欠部である。
【００１５】
６ａ，６ｂは、プレス手段によって、舌片部４ａ、４ｂの基部に横方向（舌片部４ａ，４ｂの長手方向に交差する方向）に設けられた折り目である。そして、折り目６ａ，６ｂを設けているので、舌片部４ａ，４ｂの部分のみを折り曲げ易くなっている。尚、折り目６ａ，６ｂは、表示体の主表示部２が印字されている側の面に設けられている。これによって、一枚のシートに数多くの表示体を印刷した後、プレス手段で打ち抜きと折り目の形成を同時に行う場合、不良品が発生し難い。
【００１６】
７は、差込部３の略中央部に沿って、上下方向に設けられた折り目である。この折り目７を設けていると、苗育成用容器の形状が円筒の場合、苗育成用容器の孔に表示体１を差し込む際に苗育成用容器の周壁に沿って差込部３を湾曲させることが容易となり、表示体１を苗育成用容器に差し込み易くなる。そして、この折り目７に沿って折り曲げると、表示体１が立体的になり、強度が増すので、表示体１が起立して主表示部２が見易くなる。
【００１７】
８は、ポリエチレン等の薄い柔軟性のある樹脂材料で、例えば円筒状に成型された苗育成用の容器本体である。そして、容器本体８は、図２に示した通り、周壁８１と、周壁の下端部に設けられた底壁８２とからなる。
【００１８】
周壁８１には、機械的強度を補強する為に、上方部（例えば、上端縁から周壁８１の高さの１０％〜３０％程度の範囲）から下方部にかけては上下方向にリブ８３が形成され、かつ、前記上方部には周方向に沿ってリブ８４が形成されている。尚、容器本体８の形状は図に示すような形状に限定されることは無く、如何なる形状であっても良い。
【００１９】
９は、容器本体８の周壁８１に形成された孔であり、表示体１の差込部３を差し込むためのものである。尚、この孔９は、苗育成容器の如何なる位置に設けられても良い。例えば、容器本体８の周壁８１の上方部に設けても良いし、容器本体８の周壁８１に鍔が設けられた苗育成容器の場合には、鍔部に設けても良い。本実施の形態では、孔９は、容器本体８の周壁８１の上方部において、リブ８４に沿って設けている。更に、この孔９の形状は、如何なる形状であっても良い。例えば、直線状とか半楕円形状などに形成されている。本実施の形態では、略凹形状（半楕円形状）としている。又、孔９は前後左右の計４個設けられているが、その数は幾つ有っても良い。
【００２０】
１０は容器本体内に充填された土壌である。
【００２１】
上記のように構成されている表示体１の取付方法について説明する。
【００２２】
表示体１を苗育成容器８に取り付ける前に、まず、舌片部４ａ，４ｂを折り目６ａ，６ｂに沿って予め折り曲げておく。そして、苗育成容器８の孔９に、表示体１の差込部３を苗育成用容器８の周壁８１の外側から内側に向けて差し込む。
【００２３】
このようにして表示体１を苗育成容器８に取り付けると、孔９に差し込まれた表示体１に引き抜き方向の外力が働いた際、舌片部４ａ，４ｂが折り曲げられているので、孔９の縁に必ず止まり、表示体１は抜け取れない。
【００２４】
本発明の実施の形態では、容器本体の外側から内側に表示体１を差し込んでいるが、例えば表示体１が容器本体内の苗の前に有るように、容器本体の内側から外側に向けて表示体１を孔８に差し込んでも良い。但し、この場合、前記実施の形態の場合よりも、高い位置まで土壌を充填することが要請される。
【００２５】
図３は、本発明に係る表示体の他の実施形態の正面図である。
【００２６】
本実施形態にあっては、差込部３の形状が三角形状になっているに過ぎず、その他の構成は前記実施形態のものと基本的に同一なので、同一部分には同一符号を付し、詳細な説明は省略する。
【００２７】
尚、上記実施の形態では、表示体１を苗育成容器８に形成した孔９に差し込む例で説明したが、表示体１は苗育成容器８に充填されている土壌１０に差し込むようにしても良い。この場合でも、舌片部４ａ，４ｂが曲げらているので、引き抜き方向に外力が働いた場合でも、土壌に埋められている舌片部４ａ，４ｂが大きな抵抗となり、表示体１は抜け取れない。
【発明の効果】
本発明によれば、苗育成用容器の孔に差し込まれた表示体に引き抜き方向の外力が働いても、折り曲げられた舌片部が簡単に引っ掛かり、表示体は抜け取れない。
【図面の簡単な説明】
【図１】本発明にかかる表示体の正面図
【図２】本発明にかかる苗育成用容器に土壌が充填されると共に表示体が支持されている状態での斜視図
【図３】本発明にかかる表示体の正面図
【図４】従来技術にかかる表示体の正面図
【符号の説明】
１            表示体
２            主表示部
３            差込部
４ａ，４ｂ    舌片部
５ａ，５ｂ    切込部
６ａ，６ｂ    折り目
７            折り目
８            容器本体
９            孔
１０          土壌
８１          周壁
８２          底壁
８３，８４    リブ
【図１】
2004305082.tif 000003
【図２】
2004305082.tif 000004
【図３】
2004305082.tif 000005
【図４】
2004305082.tif 000006